(57)【要約】【課題】内外の障子の縦框の上端部に設けられる振れ止め部材を兼用化することができる建具を提供する。【解決手段】建物の開口部に設けられる上枠２ａ、下枠２ｂ及び左右の縦枠２ｃ，２ｄからなる枠体２と、その上枠２ａ及び下枠２ｂに設けられた内外のレール８ａ，８ｂ，７ａ，７ｂと、枠体２内に内外のレールを介して左右方向に開閉移動自在に設けられた内外の障子３，４とを備え、前記障子３，４は上框５ａ、下框５ｂ及び左右の縦框５ｃ，５ｄを有し、前記上枠２ａの内レール８ａの厚さｔａは外レール８ｂの厚さｔｂよりも厚く形成されており、内外の障子３，４の縦框５ｄの上端部には前記上枠２ａの内外のレール８ａ，８ｂに対応する振れ止め部材１３が設けられ、該振れ止め部材１３は溝幅ｄｘが可変に形成されていることにより内外の障子３，４に対して兼用可能とされている。【選択図】          図２
2004257137.tif 000002
【特許請求の範囲】
【請求項１】
建物の開口部に設けられる上枠、下枠及び左右の縦枠からなる枠体と、その上枠及び下枠に設けられた内外のレールと、枠体内に内外のレールを介して左右方向に開閉移動自在に設けられた内外の障子とを備え、前記障子は上框、下框及び左右の縦框を有し、前記上枠の内レールの厚さは外レールの厚さよりも厚く形成されており、内外の障子の縦框の上端部には前記上枠の内外のレールに対応する振れ止め部材が設けられ、該振れ止め部材は溝幅が可変に形成されていることにより内外の障子に対して兼用可能とされていることを特徴とする建具。
【発明の詳細な説明】
【０００１】
【発明の属する技術分野】
本発明は、内外の障子の縦框の上端部に設けられて上枠の内外のレールに対応する振れ止め部材を改良した建具に関する。
【０００２】
【従来の技術】
例えば引違いサッシ等の建具においては、上枠、下枠及び左右の縦枠からなる枠体と、その上枠及び下枠に設けられた内外のレールと、枠体内に内外のレールを介して左右方向に開閉移動自在に設けられた内外の障子とを備えている。また、前記障子は上框、下框及び左右の縦框を有している。
【０００３】
前記建具においては、上枠の内外のレールの厚さが異なる場合がある。例えば図８に示すように、上枠の内外のレール８ａ，８ｂにおける内レール８ａの室内側には合成樹脂製の断熱カバー材１１が取付けられており、このため、内レール８ａの厚さｔａが外レール８ｂの厚さｔｂよりも厚くなっている。
【０００４】
一方、内外の障子３，４の縦框の上端部には、障子の建て込み性能を考慮して内外のレール８ａ，８ｂの厚さｔａ，ｔｂに対応した溝幅ｄａ，ｄｂを有する振れ止め部材１３ａ，１３ｂが取付けられている。例えば、厚さｔｂが１．５ｍｍ程度の外レール８ｂに対して溝幅ｄｂが２．２ｍｍ程度の振れ止め部材１３ｂが用いられ、厚さｔａが２．６ｍｍ程度の内レール８ａに対して溝幅ｄａが３．４ｍｍ程度の振れ止め部材１３ａが用いられている。
【０００５】
ところで、建具においては、部品の兼用化、すなわち前記内外の障子３，４に対して振れ止め部材１３ａ，１３ｂを兼用化することができれば、コストの低減を図ることができて好ましい。
【０００６】
なお、関連する技術としては、室内外方向の寸法が異なる框に対する外れ止めの兼用化を図ったものがある（例えば特開２０００−２７５２５号公報参照）。
【０００７】
【特許文献１】
特開２０００−２７５２５号公報
【０００８】
【発明が解決しようとする課題】
部品を兼用化する場合、振れ止め部材は、厚さの厚い内レール８ａの厚さｔａに対応したものとなるが、その振れ止め部材を厚さの薄い外レール８ｂに使用した場合、障子走行時のガタツキが大きく発生する問題がある。従って、前記建具においては、振れ止め部材を内外の障子に対して兼用可能とすることが難しかった。
【０００９】
本発明は、前記事情を考慮してなされたもので、内外の障子の縦框の上端部に設けられる振れ止め部材を兼用化することができる建具を提供することを目的とする。
【００１０】
【課題を解決するための手段】
本発明は、建物の開口部に設けられる上枠、下枠及び左右の縦枠からなる枠体と、その上枠及び下枠に設けられた内外のレールと、枠体内に内外のレールを介して左右方向に開閉移動自在に設けられた内外の障子とを備え、前記障子は上框、下框及び左右の縦框を有し、前記上枠の内レールの厚さは外レールの厚さよりも厚く形成されており、内外の障子の縦框の上端部には前記上枠の内外のレールに対応する振れ止め部材が設けられ、該振れ止め部材は溝幅が可変に形成されていることにより内外の障子に対して兼用可能とされていることを特徴とする。この場合、前記振れ止め部材は障子開閉時のガタツキを軽減ないし抑制すべく内外のレールに共通の最小の溝幅に設定されていると共に内レールに対する内障子の建て込み性能の向上を図るために弾性により溝幅が拡開可能に形成されていることが好ましい。
【００１１】
【発明の実施の形態】
以下に、本発明の実施の形態を添付図面に基いて詳述する。図１は本発明を引違いサッシに適用した実施の形態を示す室内側正面図、図２は縦框の上端部に設けられた振れ止め部材の拡大平面図、図３は図１のＡ−Ａ線拡大断面図、図４は図１のＢ−Ｂ線拡大断面図である。
【００１２】
図１〜図４に示すように、建具として例示した引違いサッシ１は、建物の開口部に設けられる上枠２ａ、下枠２ｂ及び左右の縦枠２ｃ，２ｄからなる枠体２と、該枠体２内に左右方向に引違い状にスライド開閉自在に設けられた内外の障子３，４とを備えている。また、前記枠体２の室外側には３０が左右方向にスライド自在に取付けられている。前記障子３，４は、上框５ａ、下框５ｂ及び左右の縦框（召し合せ框，戸先框）５ｃ，５ｄを有し、これら框材を框組してなる框体５内に面材例えばガラスプレート６が装着されている。前記枠体２を構成する枠材、框体５を構成する框材は、例えばアルミ形材からなっているが、アルミ製の室外側形材と室内側形材とを合成樹脂製のブリッジ材で結合した断熱構造になっていても良く、或いは、アルミ製の室外形材と合成樹脂製の室内側形材とを結合した複合断熱構造になっていても良い。
【００１３】
前記障子３，４を案内するために、下枠２ｂの上面には突状の内外のレール７ａ、７ｂが形成され、上枠２ａの下面にも突状の内外のレール８ａ，８ｂが形成されている。前記下框５ｂには、レール７ａ，７ｂ上を走行する戸車１０が取付けられている。上枠２ａの内外のレール８ａ，８ｂのうちの内レール８ａの室内面には合成樹脂製の断熱カバー材１１が設けられ、これにより外レール８ｂの厚さｔｂが例えば１．５ｍｍ程度であるのに対して内レール８ａの厚さｔａは例えば２．６ｍｍ程度になっている。
【００１４】
前記框体５は、縦框２ｃ，２ｄの上端部と下端部が露出するように縦通しに組まれている。少なくとも縦框２ｃ，２ｄは中空部１２を有するホロー構造とされており、縦框２ｃ，２ｄの上端部と下端部にはレール７ａ，７ｂ，８ａ，８ｂに対応したプラスチック製の振れ止め部材が嵌合装着されている。なお、本実施例では、召し合せ框５ｃの上端部及び下端部の振れ止め部材及び戸先框５ｄの下端部の振れ止め部材については既存のものと同じであるため説明を省略し、内外の障子３，４における戸先框５ｄの上端部の振れ止め部材１３について説明する。内外の障子３，４の召し合せ框５ｃにおいては、相互に断面形状が異なるため振れ止め部材は兼用化されていない。内外の障子３，４の戸先框下端部の振れ止め部材については、内外の障子の戸先框５ｄの断面形状が同じで、下枠２ｂの内外のレール７ａ，７ｂの厚さも同じであるため、内外の障子に対して同じ振れ止め部材を用いることができ、既に兼用されている。
【００１５】
一方、内外の障子３，４における戸先框５ｄの上端部の振れ止め部材１３については、上枠２ａの内外のレール８ａ，８ｂの厚さが異なる場合、今まで兼用化が困難であった。本実施の形態では、以下に述べるように構成することで兼用化を可能にしている。本実施例の戸先框５ｄは、図５に示すように中空部１２を挟んで一側に戸先溝部１４を、他側にガラス装着用溝部１５を有している。前記振れ止め部材１３は、戸先框５ｄの上端部の中空部１２及び戸先溝部１４に嵌挿される嵌挿部１６ａ，１６ｂと、戸先框５ｄのガラス装着用溝部１５を除く上端縁部に当接される縁部１７とを有している。
【００１６】
戸先框５ｄの上端部には振れ止め部材１３の溝部１８と対応する若干大きめの切欠部２０が形成されている。この切欠部２０の一側部には凹状の係止受部２１が形成され、前記振れ止め部材１３の嵌挿部１６ａ、１６ｂにはこれを戸先框５ｄの中空部１２及び戸先溝部１４に嵌挿した時に弾性力で前記係止受部２１に係合して係止される凸状の係止部２２が形成されている。
【００１７】
振れ止め部材１３は、図２、図５、図６ないし図７に示すように、上枠の厚さの異なる内外のレール８ａ．８ｂに対応する所定の溝幅ｄｘを有する断面Ｕ字状の溝部１８を有しており、この溝部１８のをレール８ａ，８ｂに緩く係合させた状態とすることにより風圧等で障子３，４の上部が室内外方向に振れるのを抑制している。前記溝部１８の対向壁部には、その上端側で互いに接近する方向に突出した突出部２３，２４が形成されており、この突出部２３，２４間が前記所定の溝幅ｄｘとされている。
【００１８】
そして、前記振れ止め部材１３においては、その溝幅ｄｘが可変に形成され、内外の障子３，４に対して兼用可能とされている。すなわち、前記突出部２３，２４のうちの一方の突出部２３が他方の突出部２４から離間する方向（開く方向に）に移動（後退）し、これにより溝幅がｄｘかｄｙに変化するようになっている。具体的には、他方の突出部２４がレール８ａ，８ｂに沿って平面直線状に形成されているのに対し、一方の突出部２３は平面凸曲面状（山形状ないし平面円弧状ともいう）に形成されており、両突出部２３，２４の最も接近した部分間の溝幅がｄｘに設定されている。前記一方の突出部２３は上端からの２つの切込み（スリット）２５，２５により山の中央部２３ａと両側部２３ｂ，２３ｃの計３つに分割されており、両側部２３ｂ，２３ｃが固定であるのに対して中央部２３ａが開く方向に弾性変形可能になっている（弾性で拡開可能になっている）。
【００１９】
この場合、両側部２３ｂ，２３ｃにおける溝幅がｄｙに設定されており、中央部２３ａの弾性変形により溝幅がｄｘからｄｙに可変するようになっている。この場合、ｄｘは上枠２ａの内外のレール８ａ，８ｂに共通の最小の溝幅、例えば２．９ｍｍ程度に設定され、ｄｙは内レール８ａに対する内障子３の建て込み性能を考慮した溝幅、例えば３．４ｍｍ程度に設定されている。
【００２０】
以上の構成からなる建具（引違いサッシ）１によれば、建物の開口部に設けられる上枠２ａ、下枠２ｂ及び左右の縦枠２ｃ，２ｄからなる枠体２と、その上枠２ａ及び下枠２ｂに設けられた内外のレール８ａ，８ｂ，７ａ，７ｂと、枠体２内に内外のレールを介して左右方向に開閉移動自在に設けられた内外の障子３，４とを備え、前記障子３，４は上框５ａ、下框５ｂ及び左右の縦框５ｃ，５ｄを有し、前記上枠２ａの内レール８ａの厚さｔａは外レール８ｂの厚さｔｂよりも厚く形成されており、内外の障子３，４の縦框（実施例では戸先框）５ｄの上端部には前記上枠２ａの内外のレール８ａ，８ｂに対応する振れ止め部材１３が設けられ、該振れ止め部材１３は溝幅ｄｘが可変に形成されていることにより内外の障子３，４に対して兼用可能とされているため、内外の障子３，４の縦框５ｃの上端部に設けられる振れ止め部材１３を兼用化することができ、コストの低減が図れる。
【００２１】
具体的には、前記振れ止め部材１３が上枠２ａの内外のレール８ａ，８ｂに共通の最小の溝幅ｄｘから内レール８ａに対する内障子３の建て込み性能を考慮した溝幅ｄｙに弾性で拡開可能に構成されていることから、振れ止め部材１３を内障子３に使用（すなわち厚さの厚い内レール８ａに使用）したときには、内障子３の建て込み時に振れ止め部材１３の溝部１８が弾性で溝幅ｄｘからｄｙに押し広げられ、内障子３の建て込み性能が低下することが無く、建て込み後は溝幅がｄｙからｄｘに弾性で復元し、内障子３の開閉時のガタツキを軽減することができる。また、前記振れ止め部材１３を外障子４に使用（すなわち厚さの薄い外レール８ｂに使用）したときには、外障子４の建て込み性能が良いことは勿論、外障子４の開閉時のガタツキを軽減ないし抑制することができる。
【００２２】
更に具体的には、前記振れ止め部材１３における溝部１８の両突出部２３，２４のうちの一方の突出部２３が平面凸曲面状に形成されると共に、その突出部２３が２つの縦の切込み２５，２５により中央部２３ａ及び両側部２３ｂ，２３ｃに三分割され、中央部２３ａにおける溝幅がｄｘ、両側部２３ｂ，２３ｃにおける溝幅がｄｙとされ、中央部２３ａが自らの弾性力（弾性復元力）に抗して拡開され（押し広げられ）て溝幅がｄｘからｄｙに広がるようになっていることが好ましい。これにより、簡単な構造で部品の兼用化が可能となり、コストの低減が図れる。なお、前記構造は、溝部１８の両突出部２３，２４における少なくとも一方の突出部２３に設けられていれば良く、両突出部２３，２４に設けられていても勿論構わない。
【００２３】
以上、本発明の実施の形態を図面により詳述してきたが、本発明は前記実施の形態に限定されるものではなく、本発明の要旨を逸脱しない範囲での種々の設計変更等が可能である。例えば、前記実施の形態では本発明を内外２枚の障子を引違い状に有する引違いサッシに適用した場合が示されているが、本発明は、障子（戸）が４枚建ての建具にも適用可能である。障子は、閉鎖時には枠体の戸当り部に設けられている規制部材により動きが規制されると共に、クレセントで締め付けられるため、風圧等でガタツクようなことはない。召し合せ框上端部の振れ止め部材は実施例の場合兼用化されていないが、勿論本発明の適用により兼用化されていても良い。
【００２４】
【発明の効果】
以上要するに本発明によれば、建物の開口部に設けられる上枠、下枠及び左右の縦枠からなる枠体と、その上枠及び下枠に設けられた内外のレールと、枠体内に内外のレールを介して左右方向に開閉移動自在に設けられた内外の障子とを備え、前記障子は上框、下框及び左右の縦框を有し、前記上枠の内レールの厚さは外レールの厚さよりも厚く形成されており、内外の障子の縦框の上端部には前記上枠の内外のレールに対応する振れ止め部材が設けられ、該振れ止め部材は溝幅が可変に形成されていることにより内外の障子に対して兼用可能とされているため、内外の障子の縦框の上端部に設けられる振れ止め部材を兼用化することができ、コストの低減が図れる。
【図面の簡単な説明】
【図１】本発明を引違いサッシに適用した実施の形態を示す室内側正面図である。
【図２】縦框の上端部に設けられた振れ止め部材の拡大平面図である。
【図３】図１のＡ−Ａ線拡大断面図である。
【図４】図１のＢ−Ｂ線拡大断面図である。
【図５】縦框の上端部に取付けられる振れ止め部材を示す図で、（ａ）は斜視図、（ｂ）は正面図である。
【図６】縦框の上端部に振れ止め部材を取付けた状態を示す斜視図である。
【図７】本実施形態の振れ止め部材を示す図で、（ａ）は内障子に適用した場合の断面図、（ｂ）は外障子に適用した場合の断面図である。
【図８】従来の振れ止め部材を示す図で、（ａ）は内障子用の断面図、（ｂ）は外障子用の断面図である。
【符号の説明】
１  引違いサッシ（建具）
２  枠体
２ａ  上枠
２ｂ  下枠
２ｃ、２ｄ  縦枠
３，４  障子
５ａ  上框
５ｂ  下框
５ｃ、５ｄ  縦框
７ａ，７ｂ，８ａ，８ｂ  レール
１３  振れ止め部材
ｄｘ，ｄｙ  溝幅
【図１】
2004257137.tif 000003
【図２】
2004257137.tif 000004
【図３】
2004257137.tif 000005
【図４】
2004257137.tif 000006
【図５】
2004257137.tif 000007
【図６】
2004257137.tif 000008
【図７】
2004257137.tif 000009
【図８】
2004257137.tif 000010